(57)【特許請求の範囲】
【請求項１】
輪転式孔版印刷機の版胴の円筒状外周面の一部に該版胴の中心軸線に平行に延在する帯状の支持面を呈する台座部材と、前記支持面に対向可能な押え面を有する押え部材と、前記押え面が前記支持面上に重なり合う閉位置と前記押え面が前記支持面より引き離される開位置との間に前記中心軸線に平行な傾動軸線の周りに傾動可能に前記押え部材を支持する支持部材と、少なくとも磁気的引力により前記押え面を前記支持面に対し付勢する付勢手段と、前記傾動軸線に対し前記押え面とは反対の側に位置する前記押え部材の被駆動部を前記傾動軸線の周りに駆動することにより前記押え部材を前記閉位置より前記開位置へ傾動させる駆動部材とを有し、前記押え部材が前記開位置にあるときに孔版原紙の始端部が前記支持面と前記押え面との間にそれらの入口縁の側より挿入され、前記押え部材が前記閉位置へ傾動され前記付勢手段により前記押え面が前記支持面に対し付勢されることにより前記孔版原紙の始端部を前記支持面と前記押え面との間に押し挾んで保持する孔版原紙始端装着装置にして、前記支持部材は前記押え部材が前記閉位置より前記開位置へ向けて傾動するにつれて前記傾動軸線が漸次前記押え面より離れるよう構成されていることを特徴とする孔版原紙始端装着装置。
【請求項２】
前記支持部材は前記押え部材が前記開位置より前記閉位置へ向けて傾動するにつれて前記傾動軸線が漸次前記被駆動部より離れるよう構成されていることを特徴とする請求項１に記載の孔版原紙始端装着装置。
【請求項３】
前記支持部材及び前記押え部材は互いに当接し互いに共働して前記傾動軸線を定める当接面を有し、該当接面の少なくとも一方は他方へ向けて張り出す弓形をなしていることを特徴とする請求項１又は２に記載の孔版原紙始端装着装置。
【請求項４】
前記支持部材及び前記押え部材の一方は前記中心軸線に垂直な平面に沿って互いに隔置された複数個の突起を有し、前記支持部材及び前記押え部材の他方は対応する前記突起を受け入れる複数個の孔を有し、前記複数個の突起及び前記複数個の孔は互いに係合して前記傾動軸線を定めると共に、前記押え部材が前記閉位置より前記開位置へ向けて傾動するにつれて互いに係合する突起及び孔の組合せが前記押え面より遠い側の組合せに漸次移行するよう配設されていることを特徴とする請求項１に記載の孔版原紙始端装着装置。
【請求項５】
前記押え部材の前記閉位置と前記開位置との間の傾動を案内するカム手段を有することを特徴とする請求項１乃至４の何れかに記載の孔版原紙始端装着装置。
【発明の詳細な説明】
【０００１】
【産業上の利用分野】
本発明は、輪転式孔版印刷機に係り、特に全自動輪転式孔版印刷機に於いてその版胴に孔版原紙の始端部を装着するための孔版原紙始端装着装置に係る。
【０００２】
【従来の技術】
一般に、全自動輪転式孔版印刷機に於ては、版胴の円筒状外周面の一部に該版胴の中心軸線に平行に延在する帯状の支持面を呈する台座部材と、支持面に対向する押え面を有し該押え面が支持面上に重なり合う閉位置と押え面が支持面より引き離される開位置との間に移動する押え部材とを含む孔版原紙始端装着装置が設けられており、孔版原紙はロール状に巻かれた帯状のシートとして供給され、一版の孔版原版を作成する帯状の孔版原紙より所定の長さの孔版原紙が切出され、孔版原紙はその始端部が孔版原紙始端装着装置により版胴に固定された状態にて版胴の周りに巻装されるようになっている。
【０００３】
かかる孔版原紙始端装着装置の一つとして、例えば本願出願人の出願にかかる特開平８−１４２４８３号公報に記載されている如く、版胴の中心軸線に平行な枢軸線の周りにて閉位置と開位置との間に傾動可能に押え部材を枢支する枢支部材と、版胴に固定され磁気的引力により押え面を支持面に対し付勢する永久磁石と、枢軸線に対し押え面とは反対の側に位置する押え部材の被駆動部を枢軸線の周りに駆動することにより押え部材を閉位置より開位置へ傾動させる駆動部材とを有し、押え部材が開位置にあるときに孔版原紙の始端部が支持面と押え面との間にそれらの入口縁の側より挿入され、押え部材が閉位置へ傾動され付勢手段により押え面が支持面に対し付勢されることにより孔版原紙の始端部を支持面と押え面との間に押し挾んで保持する孔版原紙始端装着装置が既に知られている。
【０００４】
上述の如く構成された孔版原紙始端装着装置によれば、永久磁石の磁気的引力により押え部材の押え面が支持面に対し付勢されることにより、孔版原紙の始端部は支持面と押え面との間に押し挾まれるので、孔版原紙の始端部を版胴の所定の位置に確実に固定し、これにより孔版原紙を版胴の周りに適正に巻装することができると共に、印刷工程中孔版原紙を版胴の周りに適正に巻装された状態に保持することができる。
【０００５】
【発明が解決しようとする課題】
一般に、全自動輪転式孔版印刷機に於いては、周知の如く孔版原紙の供給、孔版原紙の製版、孔版原紙の版胴への着版、印刷、版胴からの孔版原紙の排版が版毎に自動的に繰り返し行われるので、各版の孔版原紙の着版及び排版の度毎に孔版原紙始端部の版胴に対する固定及び取り外しが行われるよう、孔版原紙始端装着装置の押え部材が閉位置と開位置との間に傾動されなければならない。
【０００６】
しかるに上記公開公報に記載されている如き全自動輪転式孔版印刷機の孔版原紙始端装着装置に於いては、閉位置にある押え部材の押え面は版胴に固定された永久磁石の磁気的引力により支持面に対し付勢されているので、駆動部材により押え部材を閉位置より開位置へ枢動させるに際し枢動開始時には磁気的引力に抗する高い駆動力を必要とする。そのための押え部材を枢動させるべく駆動部材により押え部材の被駆動部に対し駆動力が与えられると、押え部材は枢軸線の両側にて実質的に同一方向の応力を受けることにより版胴の中心軸線に沿う方向に見て弓形に弾性変形し、更に押え部材の被駆動部が駆動部材により駆動されると、押え面が支持面より離脱することにより押え面が永久磁石より受ける磁気的引力が急激に減少し、押え部材は弾性により元の平坦な状態に戻ろうとすることにより枢軸線より押え面側の部分（本明細書に於いては片持部分という）が加振された片持梁の如く振動し騒音が発生する。
【０００７】
かかる問題を解消する一つの手段として、押え部材の枢動開始時に押え部材が顕著には弾性変形しないよう永久磁石の磁気的引力を低減する方法が考えられるが、その場合には孔版原紙の始端部が支持面と押え面との間に所望の押圧力にて押し挾まれなくなり、そのため孔版原紙の始端部を版胴の所定の位置に確実に固定することができないことに起因して、孔版原紙を版胴の周りに適正に巻装することができなくなったり、印刷工程中孔版原紙を版胴の周りに適正に巻装された状態に保持することができなくなる。
【０００８】
また上述の問題を解消する他の一つの手段として、従来の構造の場合に比して押え部材の枢軸線が押え面側に位置するよう枢支部材を修正する方法が考えられるが、その場合には押え部材の被駆動部の移動距離に対する押え面の移動距離の比が小さいため、孔版原紙の着版及び排版が良好に行われるよう押え部材が開位置にあるときの押え面と支持面との間の空間を大きくしようとすると、押え部材が閉位置にある状態にて版胴が回転する際に押え部材の被駆動部が他の部材に干渉し、逆に被駆動部のかかる干渉が生じないようにしようとすると、押え部材が開位置にあるときの押え面と支持面との間の空間が小さくなってしまう。
【０００９】
本発明は、枢動式の押え部材を有し永久磁石の磁気的引力により押え部材の押え面が支持面に対し付勢されるよう構成された孔版原紙始端装着装置に於ける上述の如き問題に鑑みてなされたものであり、本発明の主要な課題は、開位置へ向かう押え部材の傾動が開始される際に於ける押え部材の片持部分の弾性変形量を従来に比して低減すると共に押え部材の片持振動を効果的に減衰させることにより、孔版原紙の着版及び排版の性能を損なうことなく押え部材が閉位置より開位置へ傾動される際の押え部材の振動や騒音を確実に低減することである。
【００１０】
【課題を解決するための手段】
上述の主要な課題は、本発明によれば、輪転式孔版印刷機の版胴の円筒状外周面の一部に該版胴の中心軸線に平行に延在する帯状の支持面を呈する台座部材と、前記支持面に対向可能な押え面を有する押え部材と、前記押え面が前記支持面上に重なり合う閉位置と前記押え面が前記支持面より引き離される開位置との間に前記中心軸線に平行な傾動軸線の周りに傾動可能に前記押え部材を支持する支持部材と、少なくとも磁気的引力により前記押え面を前記支持面に対し付勢する付勢手段と、前記傾動軸線に対し前記押え面とは反対の側に位置する前記押え部材の被駆動部を前記傾動軸線の周りに駆動することにより前記押え部材を前記閉位置より前記開位置へ傾動させる駆動部材とを有し、前記押え部材が前記開位置にあるときに孔版原紙の始端部が前記支持面と前記押え面との間にそれらの入口縁の側より挿入され、前記押え部材が前記閉位置へ傾動され前記付勢手段により前記押え面が前記支持面に対し付勢されることにより前記孔版原紙の始端部を前記支持面と前記押え面との間に押し挾んで保持する孔版原紙始端装着装置にして、前記支持部材は前記押え部材が前記閉位置より前記開位置へ向けて傾動するにつれて前記傾動軸線が漸次前記押え面より離れるよう構成されていることを特徴とする孔版原紙始端装着装置によって達成される。
【００１１】
また本発明によれば、上述の主要な課題を効果的に達成すべく、上記請求項１の構成に於いて、前記支持部材は前記押え部材が前記開位置より前記閉位置へ向けて傾動するにつれて前記傾動軸線が漸次前記被駆動部より離れるよう構成される（請求項２の構成）。
【００１２】
また本発明によれば、上述の主要な課題を効果的に達成すべく、上記請求項１又は２の構成に於いて、前記支持部材及び前記押え部材は互いに当接し互いに共働して前記傾動軸線を定める当接面を有し、該当接面の少なくとも一方は他方へ向けて張り出す弓形をなすよう構成される（請求項３の構成）。
【００１３】
また本発明によれば、上述の主要な課題を効果的に達成すべく、上記請求項１の構成に於いて、前記支持部材及び前記押え部材の一方は前記中心軸線に垂直な平面に沿って互いに隔置された複数個の突起を有し、前記支持部材及び前記押え部材の他方は対応する前記突起を受け入れる複数個の孔を有し、前記複数個の突起及び前記複数個の孔は互いに係合して前記傾動軸線を定めると共に、前記押え部材が前記閉位置より前記開位置へ向けて傾動するにつれて互いに係合する突起及び孔の組合せが前記押え面より遠い側の組合せに漸次移行するよう構成される（請求項４の構成）。
【００１４】
また本発明によれば、上述の主要な課題を効果的に達成すべく、上記請求項１乃至４の何れかの構成に於いて、前記押え部材の前記閉位置と前記開位置との間の傾動を案内するカム手段を有するよう構成される（請求項５の構成）。
【００１５】
【発明の作用及び効果】
上記請求項１の構成によれば、支持部材は押え部材が閉位置より開位置へ向けて傾動するにつれて傾動軸線が漸次押え面より離れるよう構成されているので、開位置へ向かう傾動開始時に於ける押え部材の片持部分の長さを低減して片持部分の弾性変形量を低減することができ、これにより片持部分に発生する振動の振幅を低減することができ、また押え部材の傾動につれて片持部分の長さが漸次長くなることにより該部分の固有振動数を漸次低下させることができ、これにより片持部分の振動を効果的に減衰させることができ、従って押え部材が閉位置より開位置へ傾動される際の押え部材の振動や騒音を従来に比して確実に低減することができる。
【００１６】
また上記請求項１の構成によれば、開位置へ向かう傾動開始時に押え部材の片持部分を弾性的に湾曲変形させるために消費されるエネルギを低減することができ、また傾動開始時に於ける傾動軸線と押え面との間の距離に対する傾動軸線と被駆動部との間の距離の比が大きく、従って傾動開始時に駆動部材により被駆動部に与えられるべき力を低減することができ、これにより傾動軸線と被駆動部との間の部分の弾性による湾曲変形量も大きくならないので、駆動部材により押え部材を傾動させるために必要なエネルギを従来に比して低減することができる。
【００１７】
また上記請求項１の構成によれば、従来の構造の場合に比して永久磁石の磁気的引力が低減されたり、押え部材の傾動軸線が押え面に近い一定の位置に位置するよう支持部材が修正されたりする訳ではないので、孔版原紙の着版及び排版の性能が損なわれることを確実に回避することができる。
【００１８】
また上記請求項２の構成によれば、支持部材は押え部材が開位置より閉位置へ向けて傾動するにつれて傾動軸線が漸次被駆動部より離れるよう構成されるので、押え部材が開位置より閉位置へ向けて傾動する際に於ける押え部材の傾動速度は開位置より閉位置へ向かうにつれて漸次減少し、従って押え部材の押え面がその慣性により支持面に激しく衝当する虞れを低減し、かかる衝当に起因する押え部材等の振動や騒音も低減することができる。
【００１９】
また上記請求項３の構成によれば、支持部材及び押え部材は互いに当接し互いに共働して傾動軸線を定める当接面を有し、該当接面の少なくとも一方は他方へ向けて張り出す弓形をなすよう構成されるので、支持部材若しくは押え部材の傾動軸線を定める部分が移動するよう該部分を駆動する特別の手段を要することなく、押え部材が閉位置より開位置へ向けて傾動するにつれて傾動軸線を漸次押え面より離れるよう移動させることができると共に、押え部材が開位置より閉位置へ向けて傾動するにつれて傾動軸線が漸次被駆動部より離れるよう移動させることができる。
【００２０】
また上記請求項４の構成によれば、支持部材及び押え部材の一方は版胴の中心軸線に垂直な平面に沿って互いに隔置された複数個の突起を有し、支持部材及び押え部材の他方は対応する突起を受け入れる複数個の孔を有し、複数個の突起及び複数個の孔は互いに係合して前記傾動軸線を定めると共に、押え部材が閉位置より開位置へ向けて傾動するにつれて互いに係合する突起及び孔の組合せが押え面より遠い側の組合せに漸次移行するよう構成されるので、この構成の場合にも支持部材若しくは押え部材の傾動軸線を定める部分が移動するよう該部分を駆動する特別の手段を要することなく、押え部材が閉位置より開位置へ向けて傾動するにつれて傾動軸線を漸次押え面より離れるよう移動させることができる。
【００２１】
また上記請求項５の構成によれば、孔版原紙始端装着装置は押え部材の閉位置と開位置との間の傾動を案内するカム手段を有するので、押え部材の閉位置と開位置との間の傾動に伴い傾動軸線が移動するにも拘わらず、押え部材を傾動軸線の周りに円滑に傾動させることができる。
【００２２】
【課題解決手段の好ましい態様】
本発明の一つの好ましい態様によれば、上記請求項１の構成に於いて、版胴の中心軸線に平行に互いに隔置され傾動軸線の周りに傾動可能に押え部材の両端を支持する一対の支持部材が設けられ、傾動軸線は押え部材の両端と一対の支持部材との共働により定められるよう構成される（好ましい態様１）。この構成によれば、押え部材をその両端にて一対の支持部材により傾動可能に支持することができる。
【００２３】
本発明の他の一つの好ましい態様によれば、上記好ましい態様１の構成に於いて、被駆動部は押え部材の一方の端部にのみ設けられ、これに対応して一つの駆動部材のみが設けられるよう構成される（好ましい態様２）。この構成によれば、押え部材がその両端にて駆動される場合に比して駆動部材の数を低減することができる。
【００２４】
本発明の他の一つの好ましい態様によれば、上記請求項２の構成に於いて、押え部材は重力の作用及び前記磁気的引力の作用により開位置より閉位置へ向けて傾動するよう構成される（好ましい態様３）。この構成によれば、駆動手段の駆動力を要することなく押え部材を開位置より閉位置へ傾動させることができる。
【００２５】
本発明の他の一つの好ましい態様によれば、上記好ましい態様３の構成に於いて、開位置より閉位置へ向かう押え部材の傾動は駆動部材により傾動軸線の周りの被駆動部の回転運動が制御されることにより制御されるよう構成される（好ましい態様４）。この構成によれば、開位置より閉位置へ向かう押え部材の傾動を駆動部材によって傾動軸線の周りの被駆動部の回転運動を制御することにより、開位置より閉位置へ向かう押え部材の傾動を制御することができ、従って押え部材の押え面がその慣性により支持面に激しく衝当する虞れを更に一層低減し、これによりかかる衝当に起因する押え部材等の振動や騒音を更に一層確実に低減することができる。
【００２６】
本発明の他の一つの好ましい態様によれば、上記請求項３の構成に於いて、押え部材が閉位置にあるときには支持部材の当接面は押え部材より隔置されるよう構成される（好ましい態様５）。この構成によれば、押え部材が閉位置にある状態にて版胴が回転するような状況に於いてたとえ押え部材が押え面にて固定された片持梁の如く微振動しても、押え部材が支持部材の当接面に衝当しないので、押え部材が当接面に衝当することに起因する打音騒音の発生を確実に防止することができる。
【００２７】
本発明の他の一つの好ましい態様によれば、上記請求項４の構成に於いて、複数個の突起及び複数個の孔は押え部材が開位置より閉位置へ向けて傾動するにつれて互いに係合する突起及び孔の組合せが被駆動部より遠い側の組合せに漸次移行するよう配設される（好ましい態様６）。この構成によれば、上記請求項２の場合と同様、押え部材が開位置より閉位置へ向けて傾動する際に於ける押え部材の傾動速度は開位置より閉位置へ向かうにつれて漸次減少するので、押え部材の押え面がその慣性により支持面に激しく衝当する虞れを低減し、これによりかかる衝当に起因する押え部材等の振動や騒音も低減することができる。
【００２８】
本発明の他の一つの好ましい態様によれば、上記請求項４又は好ましい態様６の構成に於いて、各突起は版胴の中心軸線に垂直な平面に沿って延在する実質的に板状をなし、各溝は版胴の中心軸線に垂直な平面に沿って延在する実質的にスリット状をなすよう構成される（好ましい態様７）。この構成によれば、押え部材が閉位置と開位置との間に傾動する際に傾動軸線が版胴の中心軸線に対し傾斜した状態になるよう押え部材が変位することを効果的に防止することができる。
【００２９】
本発明の他の一つの好ましい態様によれば、上記請求項４又は好ましい態様６又は好ましい態様７の構成に於いて、各突起は実質的にハの字形の稜線を有する山形をなすよう構成される（好ましい態様８）。この構成によれば、各突起と対応する溝との係合及びその移行が円滑に行われるので、閉位置と開位置との間に於ける押え部材の傾動を確実に円滑に行わせることができる。
【００３０】
本発明の他の一つの好ましい態様によれば、上記請求項５の構成に於いて、押え部材は閉位置にあるときに実質的に版胴の接線に平行に延在する板状の部材であり、カム手段は押え部材が少なくとも閉位置と開位置との間に傾動する際に押え部材が実質的にその平面に沿って傾動軸線に垂直な方向へ支持部材に対し相対変位することを規制するよう構成される（好ましい態様９）。この構成によれば、押え部材が実質的にその平面に沿って傾動軸線に垂直な方向へ支持部材に対し相対変位することを防止することができるので、押え部材が閉位置へ傾動される際の支持面に対する押え面の位置関係を確実に所定の適正な位置関係にもたらすことができ、また傾動軸線が版胴の中心軸線に対し傾斜した状態になることを確実に防止することができる。
【００３１】
【発明の実施の形態】
以下に添付の図を参照して、本発明を好ましい実施形態について詳細に説明する。
【００３２】
図１は本発明による孔版原紙始端装着装置の第一の実施形態が適用された全自動輪転式孔版印刷機の要部を解図的に示す概略構成図である。
【００３３】
図１に於て、１０は版胴を示しており、版胴１０は孔版原紙の装着時、印刷時及び孔版原紙の排版時に図には示されていない版胴駆動装置により図１に於いて矢印にて示されている如く反時計廻り方向に回転される。版胴１０の円筒状外周面の一部には本発明による孔版原紙始端装着装置１２が設けられている。版胴１０の図にて右側には帯状の孔版原紙１３が巻回されたロール１４が配置されており、ロール１４は孔版原紙の供給源を構成している。
【００３４】
ロール１４より引出された孔版原紙１３は、案内通路１６を経てサーマルヘッド１８とプラテンローラ２０との間に送給され、サーマルヘッド１８は図には示されていない画像情報処理手段より入力される電子的画像情報に基づいて作動することによりプラテンローラ２０と共働して画像情報に従って孔版原紙１３を穿孔する。かくして穿孔された孔版原紙１３は開いた状態にあるカッタ２２を通過した後、可動通路２５へ導かれる。可動通路２５は孔版原紙１３の始端部を受け入れる時には図１に於いて仮想線にて示されている如く水平の状態にあり、その後節動部２４にて折れ曲がることにより次第に図示の如く傾動して孔版原紙にたるみを与える。
【００３５】
孔版原紙１３は可動通路２５より孔版原紙送りローラ２６及び２８の間へ導かれ、孔版原紙送りローラ２６及び２８により送り量を制御されつつ、その始端部が通路３０及び可動の孔版原紙案内リップ３２により案内されて孔版原紙始端装着装置１２まで送給される。孔版原紙１３の始端部が孔版原紙始端装着装置１２により把持されると、孔版原紙送りローラ２６及び２８はアイドル回転するようになる。
【００３６】
その後もサーマルヘッド１８に於ける穿孔が継続され、穿孔された孔版原紙１３は一旦可動通路２５が節動部２４の周りに上下に揺動することにより所定長さずつたるまされ、所定長さの孔版原紙のたるみが生ずる毎に版胴１０が回転駆動され、穿孔された孔版原紙１３はその始端部より始まって所定長さずつ数回に亙って順次版胴１０の周りに巻き取られて行く。そして孔版原紙の送り量が所定の長さに達したところでカッタ２２が作動され、これにより一版分の孔版原紙の切取りが行われる。
【００３７】
かくして版胴１０の周りへの穿孔された孔版原紙の巻装が終了すると、孔版印刷機は印刷工程に移り、図には示されていない給紙台より順次取出された印刷用紙が印刷用紙送りローラ３４と３６の間を通って版胴１０とプレスローラ３８の間の挾み領域４０へ向けて送り込まれる。版胴１０内にはこの挾み領域に対向してスキージローラ４２が配置されており、スキージローラ４２は版胴１０の回転に同期して図１に於いて矢印にて示されている如く反時計廻り方向に回転する。スキージローラ４２に近接した位置にはドクターロッド４４が配置されており、スキージローラとドクターロッドとの間に形成された溝部４６にインク分配器４８より供給されたインク５０によってインク溜り５２が形成されるようになっている。
【００３８】
溝部４６内にはインク溜り５２の核となる位置に撹拌ロッド５４が設けられており、スキージローラ４２が図示の方向に回転するにつれてインク溜り５２は撹拌ロッド５４の周りに図にて時計廻り方向に回転するインク塊を形成し、順次その一部がスキージローラ４２上に担持されたインク層５６となって前記インク塊より引出され、スキージローラ４２によって版胴１０の内周面に供給され、このインクが版胴１０の周りに巻装された孔版原紙の穿孔部を通過し、挾み部４０を通過する印刷用紙上に移転されて孔版画像を形成する。かくして孔版印刷を施された印刷用紙は、インクの粘性により版胴１０の外周面に付着して移動しようとするが、印刷用紙剥し爪５８によって版胴外周面より剥がされ、ベルトコンベア式の排紙装置６０により図には示されていない排紙台へ向けて送給される。
【００３９】
一つの版について指定された枚数の印刷が完了すると、換言すれば版胴１０の周りに巻装された孔版原紙を排版すべき時になると、孔版原紙始端装着装置１２が以下に詳細に説明する要領にて作動され、孔版原紙の始端部は孔版原紙始端装着装置１２より解放されて孔版原紙始端装着装置の上に自由に置かれた状態となる。その状態にて版胴１０が排版のために矢印方向に回転されると、孔版原紙の始端部は排版爪６２の先端を横切る際に該排版爪により掬い上げられ、矢印方向に移動しつつある排版装置のベルトコンベア６４と６６の間に挾み込まれ、これより版胴１０が引続き回転されるに伴って使用済み孔版原紙は順次版胴１０の周りより剥ぎ取られ、ベルトコンベア６４及び６６の左方に位置する図１には示されていない排版ボックスへ送給される。
【００４０】
版胴１０の上方にはベルトコンベア６６と同一の方向へ回転するベルトコンベア６８が配置されており、このベルトコンベア６８は、孔版原紙の始端部がベルトコンベア６４と６６との間に挾み込まれることなく上方へ逸れようとする場合に、それをベルトコンベア６４と６６の間に誘い込むよう機能する。
【００４１】
次に図２〜図９を参照して本発明の第一の実施形態による孔版原紙始端装着装置１２の構造及び着版工程時の作動について説明する。これらの図に於て、図２乃至図４はそれぞれ孔版原紙始端装着装置１２に新しい孔版原紙の始端部が装着される際の装着前、装着中、装着完了後の三つの状態を示しており、図５は孔版原紙始端装着装置１２を示す平面図であり、図６乃至図９はそれぞれ新しい孔版原紙の始端部が装着される前の閉位置、閉位置と開位置との中間位置、開位置及び孔版原紙の始端部が装着された後の閉位置について孔版原紙始端装着装置１２の要部を示す拡大断面図である。
【００４２】
孔版原紙始端装着装置１２は版胴１０の円筒状外周面の一部に版胴の中心軸線に平行に延在する帯状の支持面７０を呈し該支持面を呈する部分に磁石片７１（好ましくはゴム磁石片）が接着剤、ねじ止め等の手段により固定された台座部材７２と、支持面に対向する押え面７４を有し押え面が支持面上に重なり合う閉位置（図２及び図６に示されている位置）と、押え面が支持面より引き離される開位置（図３及び図８に示されている位置）との間に移動する押え部材７６とを有している。
【００４３】
押え部材７６は版胴１０の中心軸線に平行に延在する細長い形状を有する磁性材の板部材７６Ａと、板部材７６Ａの両端の下面に固定され板部材の長手方向に対し垂直に延在する一対の中間板７６Ｂと、板部材７６Ａの両端及び中間板７６Ｂに固定され板部材の長手方向に対し実質的に垂直に延在する一対の板状の腕部材７６Ｃとよりなり、実質的にコの字形をなしている。腕部材７６Ｃの下方にて台座部材７２の上面には板部材７６Ａの端部及び中間板７６Ｂに近接して一対の支持部材７８が固定されており、押え部材７６は前記閉位置と前記開位置との間に傾動する際に後述の如く一対の支持部材７８により傾動可能に支持されるようになっている。
【００４４】
押え部材７６は磁石片７１の磁気的引力により前記閉位置へ向けて常時引き付けられており、また印刷工程に於いて版胴１０が回転する際にも台座部材７２より脱落したり開位置へ変位したりすることがないよう閉位置に固定的に保持される。押え部材７６にはその主要部を構成する板部材７６Ａの上面に互いに隔置された複数個のリブ８０が設けられている。これらのリブの作用については後程詳細に説明する。また押え部材７６の一方の腕部材７６Ｃの長手方向の一端部（板部材７６Ａの側とは反対側の端部）には押え部材を傾動させるために駆動される被駆動部８２が設けられている。
【００４５】
また図示の実施形態に於いては、孔版原紙始端装着装置１２には、版胴１０の回転軸線に平行に延在する棒状部材８４と、腕部材７６Ｃに対し版胴１０の端部側に配置され棒状部材８４の両端に結合された一対の腕部材８６とにより構成され実質的にコの字形をなすはね上げ部材８８が設けられている。はね上げ部材８８の棒状部材８４の部分は、支持面７０の入口縁９０の近傍に位置する第一の位置（図１０及び図１３に示されている位置）と、押え部材７６が前記開位置にあるときその押え面７４の入口縁９２の近傍に位置する第二の位置（図１１及び図１４に示されている位置）との間に孔版原紙の給排と関連して移動されるようになっている。
【００４６】
一対の腕部材８６は台座部材７２上に設けられた一対の軸受装置９４により棒状部材８４が上述の第一の位置と第二の位置との間に移動し得るよう枢動可能に支持されており、一対の軸受装置９４は互いに共働して一対の腕部材８６が枢動する際の一定の枢軸線を定めている。一対の腕部材８６は磁性材の板部材であり、押え部材７６と同様に磁石片７１により常時磁気的に引き付けられた状態にあり、棒状部材８４が第一の位置にあるときは一対の腕部材８６は支持面７０上に着座した状態にある。一対の腕部材８６の一方には軸受装置９４を挾んで棒状部材８４とは反対の側に位置し腕部材８６を枢動させるために駆動される被駆動部９６が設けられている。
【００４７】
かくして押え部材７６は磁石片７１の磁気的引力により軸受装置７８の周りに閉位置へ向けて付勢されており、該閉位置にあるときには押え部材７６の押え面７４は台座部材７２の支持面７０に対し或る所定の押圧力を及ぼすよう押さえつけられた状態にある。同様に棒状部材８４と一対の腕部材８６よりなるはね上げ部材８８も磁石片７１の磁気的引力により一対の軸受装置９４の周りに第一の位置へ向けて付勢されている。尚磁石片７１に対向する腕部材８６の面積は磁石片７１に対向する板部材７６Ａの面積よりも小さいので、はね上げ部材８８に作用する磁気的引力は押え部材７６に作用する磁気的引力よりも小さい。
【００４８】
尚、押え部材７６及びはね上げ部材８８を台座部材７２の支持面７０へ向けて付勢し保持しようとする磁気的引力を発生する手段は、上述の如く台座部材に接着等により固定される代りに、台座部材７６に凹部が設けられ該凹部に磁石片が埋込まれることにより固定されてもよい。
【００４９】
版胴１０の一端に近接した位置には、押え部材７６を磁石片７１による付勢力に抗して閉位置より開位置へ向けて傾動させる手段と、はね上げ部材８８を磁石片７１による付勢力に抗して第一の位置より第二の位置へ向けて傾動させる手段とが設けられている。これらの手段は、パルスモータ９８と、該パルスモータの軸１００により担持された第一のカム１０２及び第二のカム１０４と、これらのカムにより枢軸１０６の周りに枢動される第一のてこ部材１０８及び第二のてこ部材１１０と、これらの各てこ部材の主要部を枢軸１０６の周りに図にて上方へ枢動付勢する引張りコイルばね１１２及び１１４とを含んでいる。
【００５０】
後に詳細に説明する如く、パルスモータ９８、第一のカム１０２、第一のてこ部材１０８及び引張りコイルばね１１２は互いに共働して押え部材７６の被駆動部８２を後述の傾動軸線の周りに駆動して押え部材７６を閉位置より開位置へ傾動させると共に、重力及び磁気的引力の作用により行われる開位置より閉位置への押え部材７６の傾動を制御する押え部材用の駆動部材を形成している。図示の如く、第一のてこ部材１０８により駆動される被駆動部８２は棒状部材８４とは反対側の支持部材７８の端部と実質的に同一の位置又はそれよりも僅かに支持部材７８の先端側に位置している。
【００５１】
同様に、パルスモータ９８、第二のカム１０４、第二のてこ部材１１０及び引張りコイルばね１１４は互いに共働してはね上げ部材８８の腕部材８６の被駆動部９６を枢動軸線の周りに駆動してはね上げ部材８８を第一の位置より第二の位置へ枢動させると共に、重力及び磁気的引力の作用により行われる第二の位置より第一の位置へのはね上げ部材８８の枢動を制御するはね上げ部材用の駆動部材を形成している。図示の実施形態に於いては、被駆動部９６は被駆動部８２に対し棒状部材８４とは反対側に位置している。
【００５２】
カム１０２及び１０４はパルスモータ９８の軸１００に固定されており、カム１０２はパルスモータ９８の軸１００の中心軸線の周りに互いに他に対し１８０°隔置して配置された第一のカム部１０２ａ及び第二のカム部１０２ｂを有している。これに対しカム１０４はカム１０２のカム部１０２ａ及び１０２ｂに対し図示の如き変位角をなして配置された唯一つのカム部１０４ａを有している。パルスモータの軸１００はそれを図２に於て手前の左方より見て時計廻り方向に回転されるようになっている。
【００５３】
図２乃至図４に詳細に示されている如く、一対の支持部材７８は押え部材７６の腕部材７６Ｃの下方（版胴１０の中心軸線の側）にて版胴の中心軸線に垂直な平面に沿って台座部材７２に対し垂直に延在する板状の部材であり、腕部材７６Ｃへ向けて張り出す実質的に半長円形の外縁１１６を有している。外縁１１６は押え部材７６がその閉位置にあるときには腕部材７６Ｃの下面より僅かに下方へ隔置されるが、押え部材７６が閉位置より所定の角度以上の範囲に於いて傾動するときには腕部材７６Ｃの下面に当接し、これにより一対の支持部材７８の外縁１１６と対応する腕部材７６Ｃの下面との当接部１１８は互いに共働して押え部材７６が傾動する際の傾動軸線（実質的に版胴１０の中心軸線に平行である）を定めるようになっている。
【００５４】
また図示の実施形態に於いては、台座部材７２には、押え部材７６の板部材７６Ａの長手方向の外端と対応する腕部材８６との間の位置に於いて一対の板状のカム溝部材１２０が固定されており、一対のカム溝部材１２０は台座部材７２に対し垂直に版胴１０の回転方向に沿って延在している。各カム溝部材１２０には版胴１０の回転方向に見て支持部材７８の進み側の端部に近接してカム溝１２２が設けられており、カム溝１２２は版胴１０の回転方向進み側に張り出すよう実質的に上下方向に円弧状に延在している。
【００５５】
各カム溝１２２には押え部材７６の長手方向の外端に設けられ長手方向に沿って突出する突起１２４がカム溝に沿って移動可能に嵌入しており、カム溝１２２及び突起１２４は互いに共働して押え部材７６の閉位置と開位置との間の傾動が円滑に行われるよう押え部材７６を案内する案内カムを構成している。またカム溝１２２及び突起１２４は互いに共働して押え部材７６が版胴１０の接線方向へ変位することを防止し、これにより押え部材７６の傾動軸線が版胴１０の回転軸線に対し平行な関係が損なわれることを防止する。
【００５６】
次に上述の如く構成された第一の実施形態による孔版原紙始端装着装置１２の作動について説明する。
【００５７】
先ず、孔版原紙始端装着装置１２に孔版原紙の始端部が装着されていない孔版印刷機の始動時には、装置の各部は図２及び図６に示された状態にある。但し、この種の輪転式孔版印刷機に於ては、印刷機が初めて作動される場合を除き、通常一枚の孔版原紙による印刷が終了して孔版印刷機の作動が停止又は休止されるときには、版胴周壁に於けるインクの乾燥を極力抑制するため、使用済の孔版原紙は次の孔版原紙による印刷の開始までそのまま版胴の周りに巻装された状態に保持される。従って通常新たな孔版原紙による印刷の開始に当っては、新たな孔版原紙の穿孔の開始に先立って或いはそれと平行して使用済孔版原紙を版胴より取り去る排版の工程が行われる。よって始動時の状態を示す図２及び図６は使用済孔版原紙の排版が終了した状態を示している。
【００５８】
図２及び図６に示された状態に於ては、カム１０２及び１０４は何れもてこ部材１０８及び１１０を下方へ押圧する状態になく、てこ部材１０８及び１１０はばね１１２及び１１４の作用により枢軸１０６の周りに上方へ最大限に枢動した位置にある。従って押え部材７６の被駆動部８２及びはね上げ部材８８の被駆動部９６は各々てこ部材１０８及び１１０による下方への押圧作動より解放されており、磁石片７１による磁気的引力により押え部材７６はその押え面７４が台座部材７２の支持面７０上に重なり合う閉位置にあり、はね上げ部材８８の棒状部材８４は支持面７０の入口縁９０の近傍に位置する第一の位置にある。
【００５９】
孔版原紙の始端部が孔版原紙始端装着装置１２に装着されるべき状況になると、装置の各部は図７の状態を経て図３及び図８に示された状態となり、カム１０２及び１０４は図３に示された位置に回動し、カム１０２のカム部１０２ａによっててこ部材１０８はばね１１２の作用に抗して枢軸１０６の周りに下方へ枢動され、その先端にて押え部材７６の被駆動部８２を磁石片７１の磁気的引力に抗して下方へ押さえつける。これにより押え部材７６の下面が支持部材７８の外縁１１６に当接し、押え部材７６は外縁１１６と押え部材の下面との間の一対の当接部１１８により定められる傾動軸線の周りに図示の如く傾動し、押え面７４と台座部材７２の支持面７０との間が図８で見て右方より進行して来る孔版原紙の始端部１３Ａを誘い込むのに適した状態になる。
【００６０】
この場合、押え部材７６は閉位置より開位置へ傾動する際に支持部材７８上を転動しながら傾動するので、一対の支持部材７８の外縁１１６と対応する腕部材７６Ｃの下面との当接部１１８により定められる傾動軸線は、押え部材７６が閉位置より開位置へ傾動するにつれて漸次押え面７４より離れ被駆動部８２に接近する。従って腕部材７６Ｃを傾動軸線の周りに傾動する「てこ」と考え、閉位置より開位置へ向かう押え部材７６の傾動開始時に於ける腕部材７６Ｃの枢軸線と入口縁９２の側の腕部材７６Ｃの端縁との間の部分を作用側アーム部と指称するとすると、作用側アーム部の長さは閉位置より開位置へ向かう押え部材７６の傾動開始時直後の腕部材７６Ｃと支持部材７８とが最初に互いに当接した時点に於いて最も短い。
【００６１】
従って傾動軸線が例えばこの実施形態に於ける移動範囲の中央に固定的に設定される従来の構造の場合に比して、傾動開始時に於ける作用側アーム部の弾性による湾曲変形量を低減することができ、これにより押え面７４が支持面７０より離脱した直後にそれまで湾曲弾性変形による位置エネルギとして腕部材７４Ｃに蓄えられていたエネルギによって反動として逆方向に反り返り、この現象が繰り返されることによる押え部材７６の振動の振幅を従来に比して低減することができる。
【００６２】
また上述の如く、押え部材７６が閉位置より開位置へ傾動するにつれて傾動軸線は漸次押え面７４より離れ被駆動部８２に接近するので、これに対応して作用側アーム部の長さが漸次増大し、これに付随して作用側アーム部の固有振動数が漸次低下するので、傾動軸線の位置が一定であり作用側アーム部の長さが一定である従来の構造の場合に比して、効率的に且つ確実に押え部材７６の振動を減衰させることができる。
【００６３】
尚前述の如く、はね上げ部材８８に作用する磁石片７１の磁気的引力は押え部材７６に作用する磁気的引力よりも小さいので、はね上げ部材８８がその第一の位置より第二の位置へ枢動される際にはね上げ部材８８に過大な振動や騒音が発生することはないが、はね上げ部材８８も押え部材７６と同様の構造により傾動可能に支持されるよう構成されてもよい。
【００６４】
更にパルスモータ９８が作動されることによりその軸１００が回動すると、てこ部材１０８が引張りコイルばね１１２の作用により枢軸１０６の周りに上方へ枢動し、これに対応して押え部材７６が重力及び磁石片７１の磁気的引力の作用により閉位置へ向けて傾動する。この場合、押え部材７６が開位置より閉位置へ傾動するにつれて傾動軸線が被駆動部８２より離れて押え面７４に近づくと共に、第一のカム部１０２ａによりてこ部材１０８の枢動が規制され、てこ部材１０８により押え部材７６の開位置より閉位置への傾動が制御されるので、押え部材の押え面７４がその慣性により支持面７０に激しく衝当することを確実に防止することができる。
【００６５】
カム１０２及び１０４が図４に示されている如く再び何れもてこ部材１０８及び１１０を下方へ押さえつけない状態になると、装置の各部は図４及び図９に示された状態となり、磁石片７１の磁気的引力により押え部材７６はその押え面７４が台座部材７２の支持面７０上に重なり合う閉位置を取る。従って台座部材の支持面７０と押え部材の押え面７４との間に進行していた孔版原紙の始端部１３Ａはその間に挾み込まれ、押え部材７６に作用する磁石片７１の磁気的引力によってその挾み込み状態に保持される。
【００６６】
版胴１０は更に図１を参照して先に説明した通り矢印方向に回動され、サーマルヘッド１８による孔版原紙の穿孔につれて、孔版原紙は孔版原紙始端装着装置１２に装着されたその始端部より始まって版胴１０の間欠的回動によりその周りに順次巻装され、その送給長さが所定長さに達した段階でカッタ２２が作動し、帯状の孔版原紙より一版分の孔版原紙が切出され、版胴１０への孔版原紙の装着が終了する。以上の着版工程に続いて前述の要領にて印刷工程が行われる。
【００６７】
次に図９〜図１６を参照して本発明の第一の実施形態による孔版原紙始端装着装置１２の構造及び排版工程時の作動について説明する。これらの図に於て、図１０乃至図１２はそれぞれ使用済孔版原紙の始端部が孔版原紙始端装着装置１２より取り外される際の押え部材７６が開位置にありはね上げ部材８８が第一の位置にある状態、押え部材７６が開位置にありはね上げ部材８８が第二の位置にある状態、押え部材７６が閉位置に戻されはね上げ部材８８が第二の位置に維持された状態の三つの状態を示しており、図１３乃至図１５はそれぞれ図１０乃至図１２に示された状態について孔版原紙始端装着装置１２の要部を示す拡大断面図であり、図１６は押え部材７６が閉位置に維持されはね上げ部材８８が第一の位置に戻された状態について孔版原紙始端装着装置１２の要部を示す拡大断面図である。
【００６８】
指定された枚数の印刷工程が終了すると、そのまま版胴の周りに巻装されていた使用済みの孔版原紙が、次の新たな孔版原紙による印刷に先立って版胴１０より取外される排版工程が行われる。まずパルスモータ９８が図４に示された状態より更に回動され、カム１０２及び１０４が図１０に示された位置に達することにより、カム１０２のカム部１０２ｂがてこ部材１０８を下方へ押しつけ、押え部材７６は磁石片７１の磁気的引力に抗して閉位置より開位置へ向けて傾動される。この場合、前述の着版工程に於ける押え部材７６の傾動の場合と同様、押え部材７６が閉位置より開位置へ向けて傾動するにつれてその傾動軸線が漸次押え面７４より離れ被駆動部８２に近づくので、従来の構造の場合に比して排版工程に於いて押え部材７６が閉位置より開位置へ向けて傾動される際の振動を低減することができる。
【００６９】
押え部材７６が図１０及び図１３に示されている如く開位置へ傾動されると、台座部材の支持面７０と押え部材の押え面７４との間に押し挾まれていた孔版原紙の始端部１３Ａは一応図示の如く解放されるが、それは未だ押え部材７６より下にあってこれを越えて排版装置へ向かう方向に移動することはできない状態にある。
【００７０】
これに続いてパルスモータ９８が更に回動され、カム１０２及び１０４が図１１に示されている回動位置に来ると、押え部材７６がカム１０２及びてこ部材１０８により開位置に維持されたままの状態で、今度はカム１０４及びてこ部材１１０によりはね上げ部材８８が磁石片７１の磁気的引力に抗して図１４に示されている如く支持面７０の入口縁９０の近傍に位置する第一の位置から開位置にある押え部材の押え面７４の入口縁９２の近傍に位置する第二の位置へ移動される。これに伴って孔版原紙の始端部１３Ａは図１４に示されている如く支持面７０よりはね上げられた状態にもたらされる。
【００７１】
更にパルスモータ９８が回動され、カム１０２及び１０４が図１２に示された位置に来ると、てこ部材１０８はカム１０２による押さえつけから解放されて上昇し、押え部材７６は図１２に示されている如くその閉位置に戻される。この段階に於いてははね上げ部材８８は未だ暫時第二の位置に留まっているので、孔版原紙の始端部１３Ａは図１５に示されている如く押え部材の押え面７４の入口縁９２を横切って押え面７４の側から押え部材７６の反対側（図にて上側）に移動する。そしてその後パルスモータ９８が更に回動してカム１０２及び１０４が再び図１２に示された位置に達すると、押え部材７６及びはね上げ部材８８は図１６に示されている如くそれぞれ閉位置及び第一の位置に戻り、孔版原紙の始端部１３Ａは閉位置にある押え部材７６の上側に沿って解放された状態となる。
【００７２】
この状態より版胴１０が排版のために回動されると、排版爪６２の先端が孔版原紙の始端部１３Ａの下にもぐり込み、これを掬い上げ、図１を参照して前述した要領にて孔版原紙はその始端部より排版用ベルトコンベア６４と６６の間に噛み込まれ、以後版胴１０の回転とベルトコンベア６４及び６６の排版運動に伴って孔版原紙は版胴の外周面より順次剥ぎ取られ、図には示されていない左方の排版ボックスへ向けて送給される。
【００７３】
図１６より理解される通り、押え部材７６に前述の如くリブ８０が設けられているので、押え部材７６の上側にはね上げられた孔版原紙の始端部１３Ａはこれらのリブ８０によって押え部材７６の板状部材７６Ａより浮き上がった状態に支持される。従って排版爪６２の先端がリブ８０間にてリブの上縁の位置より版胴の中心に近い側に位置する状態にて排版爪６２が版胴の回転に伴って版胴に対し相対的に図１６で見て右方へ移動すると、孔版原紙の始端部１３Ａは確実に排版爪６２によって掬い上げられ、ベルトコンベア６４と６６の間の噛み込み部へ向けて送給される。
【００７４】
上述の如く構成された孔版原紙始端装着装置による版胴への孔版原紙始端部の取付け及び孔版原紙始端装着装置からの孔版原紙始端部の解放は、版胴が図１に示されている如く孔版原紙始端装着装置をほぼ最上位の位置にもたらす所定の回動位置にある状態にて行われる。従って孔版原紙始端部が孔版原紙始端装着装置に取付けられる際に、孔版原紙始端装着装置が所定の位置に位置決めされること、即ち版胴１０が正確に所定の回動位置に停止されることが重要である。
【００７５】
このことを達成する一つの手段として、例えば本願出願人の出願にかかる前述の特開平８−１４２４８３号公報に記載されている如く、版胴の一端部に設けられＶ字形のカム溝を有するカム板と、押え部材を傾動させるためのてこ部材の側部にこれと一体に設けられたカム作動部とからなる位置決めカム装置を設け、このカム装置により孔版原紙始端装着装置を孔版原紙始端部の装着に際して所定の位置に正確に位置決めすることが既に知られている。
【００７６】
図示の第一の実施形態に於いては、上述の如く押え部材７６の両端に近接して板状のカム溝部材１２０が設けられるので、パルスモータ９８に近い側のカム溝部材１２０にＶ字形のカム溝を形成し、これと共働するカム作動部をてこ部材１０８と一体に設けることにより、位置決めカム装置を容易に設けることができ、逆の見方をすれば位置決めカム装置のカム板を第一の実施形態に於けるカム溝部材１２０として利用することにより、大幅な設計変更を要することなく案内カムを設けることができる。
【００７７】
図１７（Ａ）は本発明による孔版原紙始端装着装置の第二の実施形態の要部を示す拡大部分断面図、図１７（Ｂ）は第二の実施形態の拡大断面図、図１８（Ａ）は本発明による孔版原紙始端装着装置の第三の実施形態の要部を示す拡大部分断面図、図１８（Ｂ）は第三の実施形態の拡大断面図である。尚これらの図に於いて、図１乃至図１６に示された部分と同一の部分にはこれらの図に於いて付された符号と同一の符号が付されている。
【００７８】
第二の実施形態に於いては、第一の実施形態に於いて支持部材７８が設けられた位置に支持部材１２６が設けられている。各支持部材１２６は版胴１０の回転軸線に垂直な平面に沿って延在する板状の部材であり、その上縁に互いに均等に隔置された三つのカム部１２８Ａ〜１２８Ｃを有している。各カム部１２８Ａ〜１２８Ｃは実質的に互いに同一の大きさ及び形状を有し、実質的にハの字形の稜線を有する山形をなし、その頂点は図１７（Ｂ）で見て僅かに上方へ張り出す円弧に沿って配列されている。
【００７９】
また各腕部材７６Ｃには、それぞれカム部１２８Ａ〜１２８Ｃを受け入れる三つの孔１３０Ａ〜１３０Ｃが設けられている。各孔１３０Ａ〜１３０Ｃは版胴１０の回転軸線に垂直な平面に沿って一つの列をなすよう延在し、互いに均等に隔置され、実質的に互いに同一の大きさ及び矩形スリットの形状を有している。
【００８０】
また図１７（Ｂ）より解る如く、押え部材７６が閉位置にあるときにはカム部１２８Ａが孔１３０Ａに係合した状態にあり、押え部材７６が閉位置より開位置へ向けて傾動するにつれて順次カム部１２８Ａ及び１２８Ｂがそれぞれ孔１３０Ａ及び１３０Ｂに係合し、カム部１２８Ｂが孔１３０Ｂに係合し、カム部１２８Ｂ及び１２８Ｃがそれぞれ孔１３０Ｂ及び１３０Ｃに係合し、カム部１２８Ｃが孔１３０Ｃに係合し、これによりカム部と孔との係合状態により定まる傾動軸線が漸次押え面７４より離れ被駆動部８２へ近づく。
【００８１】
逆に押え部材７６が開位置より閉位置へ向けて傾動するにつれて順次カム部１２８Ｃ及び１２８Ｂがそれぞれ孔１３０Ｃ及び１３０Ｂに係合し、カム部１２８Ｂが孔１３０Ｂに係合し、カム部１２８Ｂ及び１２８Ａがそれぞれ孔１３０Ｂ及び１３０Ａに係合し、カム部１２８Ａが孔１３０Ａに係合し、これによりカム部と孔との係合状態により定まる傾動軸線が漸次被駆動部８２より離れ押え面７４に近づく。
【００８２】
尚、図示の第二の実施形態に於いては、三つのカム部１２８Ａ〜１２８Ｃとこれらに対応する三つの孔１３０Ａ〜１３０Ｃが設けられているが、カム部及び孔は
四つ以上設けられてもよく、また各カム部１２８Ａ〜１２８Ｃは実質的に互いに同一の大きさ及び形状を有し、実質的にハの字形の稜線を有する山形をなし、その頂点は図１７（Ｂ）で見て僅かに上方へ張り出す円弧に沿って配列されているが、各カム部が直線に沿って設けられ、中央のカム部が他のカム部よりも大きく形成されてもよく、或いは中央の孔が他の孔よりも小さく形成されてもよい。
【００８３】
また第三の実施形態に於いては、図１８（Ａ）及び（Ｂ）に示されている如く、第一の実施形態に於いて突起１２４が設けられた位置にピン１３２が設けられている。ピン１３２は例えばその長手方向に沿って形成された溝に腕部材７６Ｃが差し込まれた状態にて溶接等の手段により腕部材に固定されている。ピン１３２の先端部はカム溝部材１２０に設けられた実質的に円弧状のカム溝１２２にこれに沿って移動可能に嵌入している。
【００８４】
従って第二及び第三の何れの実施形態に於いても、上述の第一の実施形態の場合と同様、押え部材７６が閉位置と開位置との間に傾動する際の振動を従来の構造の場合に比して確実に低減することができ、特に第二の実施形態によれば、押え部材７６の傾動軸線が版胴１０の回転軸線に対し平行な関係が損なわれる虞れを第一の実施形態の場合よりも確実に低減することができ、また第三の実施形態によれば、第一の実施形態の場合よりも一層円滑に押え部材７６を傾動させることができる。
【００８５】
以上に於ては本発明を幾つかの実施形態について詳細に説明したが、本発明が図示の実施形態にのみ限られるものではなく、本発明の技術思想に基づいて他に種々の実施形態が可能であることは当業者にとって明らかであろう。
【００８６】
例えば図示の各実施形態に於ては、押え部材７６及びはね上げ部材８８は台座部材７２に固定された磁石片の磁気的引力により、それぞれ閉位置及び第一の位置へ向けて付勢されるようになっているが、かかる付勢を行うために磁石片の磁気的引力に加えてばねの如き他の付勢手段が併用されてもよい。
【００８７】
また図示の第一及び第三の実施形態に於ては、支持部材７８の外縁１１６は押え部材７６がその閉位置にあるときには腕部材７６Ｃの下面より僅かに下方へ隔置され、押え部材７６が閉位置より所定の角度以上の範囲に於いて傾動するときには腕部材７６Ｃの下面に当接するようになっているが、押え部材７６が閉位置にあるときにも腕部材７６Ｃの下面に当接するよう修正されてもよい。
【００８８】
また上述の第一及び第三の実施形態に於ては、支持部材７８は台座部材７２に固定されているが、下向きに凸の下縁を有し支持部材７８と同様に構成された支持部材が押え部材７６の腕部材７６Ｃの下面に固定されてもよい。
【００８９】
また上述の第二の実施形態に於ては、カム部１２８Ａ〜１２８Ｃを有する支持部材１２６は台座部材７２に固定され、カム部を受け入れる孔１３０Ａ〜１３０Ｃは腕部材７６Ｃに設けられているが、カム部１２８Ａ〜１２８Ｃと同様のカム部を有する支持部材が腕部材７６Ｃの下面に固定され、カム部を受け入れる孔１３０Ａ〜１３０Ｃと同様の孔が台座部材７２又はこれに固定された部材に設けられてもよい。
【００９０】
更に上述の第一の実施形態に於けるカム溝１２２及び突起１２４がそれぞれ上述の第三の実施形態に於けるカム溝１２２及びピン１３２に置き換えられてもよい。
【図面の簡単な説明】
【図１】本発明による孔版原紙始端装着装置の第一の実施形態が適用された全自動輪転式孔版印刷の要部を解図的に示す概略構成図である。
【図２】本発明による孔版原紙始端装着装置の第一の実施形態が組込まれた版胴装置の要部を示す斜視図であり、着版工程の開始時に押え部材が閉位置にある状態を示している。
【図３】図２に示された版胴装置を示す斜視図であり、着版工程の途中に於いて押え部材が開位置にある状態を示している。
【図４】図２に示された版胴装置を示す斜視図であり、着版工程の終了時に押え部材が閉位置にある状態を示している。
【図５】第一の実施形態による孔版原紙始端装着装置を示す平面図である。
【図６】新しい孔版原紙の始端部が装着される前の閉位置について第一の実施形態による孔版原紙始端装着装置の要部を示す拡大断面図である。
【図７】新しい孔版原紙の始端部が装着される際の閉位置と開位置との中間位置について第一の実施形態による孔版原紙始端装着装置の要部を示す拡大断面図である。
【図８】新しい孔版原紙の始端部が装着される際の開位置について第一の実施形態による孔版原紙始端装着装置の要部を示す拡大断面図である。
【図９】新しい孔版原紙の始端部が装着される際の孔版原紙の始端部が装着された後の閉位置について第一の実施形態による孔版原紙始端装着装置の要部を示す拡大断面図である。
【図１０】図２に示された版胴装置を示す斜視図であり、排版工程の開始時に押え部材が閉位置にありはね上げ部材が第一の位置にある状態を示している。
【図１１】図２に示された版胴装置を示す斜視図であり、排版工程の途中に於いて押え部材が開位置にありはね上げ部材が第二の位置にある状態を示している。
【図１２】図２に示された版胴装置を示す斜視図であり、排版工程の終了時に押え部材が閉位置に戻されはね上げ部材が第二の位置に維持された状態を示している。
【図１３】図１０に示された状態について孔版原紙始端装着装置の要部を示す拡大断面図である。
【図１４】図１１に示された状態について孔版原紙始端装着装置の要部を示す拡大断面図である。
【図１５】図１２に示された状態について孔版原紙始端装着装置の要部を示す拡大断面図である。
【図１６】押え部材が閉位置に維持されはね上げ部材が第一の位置に戻された状態について孔版原紙始端装着装置の要部を示す拡大断面図である。
【図１７】（Ａ）は本発明による孔版原紙始端装着装置の第二の実施形態の要部を示す拡大部分断面図、（Ｂ）は第二の実施形態の拡大断面図である。
【図１８】（Ａ）は本発明による孔版原紙始端装着装置の第三の実施形態の要部を示す拡大部分断面図、（Ｂ）は第三の実施形態の拡大断面図である。
【符号の説明】
１０…版胴
１２…孔版原紙始端装着装置
１３Ａ…孔版原紙始端部
１４…孔版原紙のロール
１８…サーマルヘッド
２２…カッタ
２６，２８…孔版原紙送りローラ
３４，３６…印刷用紙送りローラ
３８…プレスローラ
４２…スキージローラ
４４…ドクターロッド
４８…インク分配器
６０…排紙装置
７０…支持面
７１…磁石片
７２…台座部材
７４…押え面
７６…押え部材
７８…支持部材
８２…被駆動部
８８…はね上げ部材
９８…パルスモータ
１０２，１０４…カム
１０８，１１０…てこ部材
１２０…カム溝部材
１２２…カム溝
１２４…突起
１２６…支持部材
１２８Ａ〜１２８Ｃ…カム部
１３０Ａ〜１３０Ｃ…孔
１３２…ピン
【図１】
0003631929.tif 000002
【図２】
0003631929.tif 000003
【図３】
0003631929.tif 000004
【図４】
0003631929.tif 000005
【図５】
0003631929.tif 000006
【図６】
0003631929.tif 000007
【図７】
0003631929.tif 000008
【図８】
0003631929.tif 000009
【図９】
0003631929.tif 000010
【図１０】
0003631929.tif 000011
【図１１】
0003631929.tif 000012
【図１２】
0003631929.tif 000013
【図１３】
0003631929.tif 000014
【図１４】
0003631929.tif 000015
【図１５】
0003631929.tif 000016
【図１６】
0003631929.tif 000017
【図１７】
0003631929.tif 000018
【図１８】
0003631929.tif 000019